(57)【要約】【課題】人に心理的抵抗を与えることなく容易に配線できる机を提供する。【解決手段】机は強度メンバーとしてのリアビーム６を有する。リアビーム６に設けた係合溝２２，２３に、コネクタサポート１１とトレー１０とが取り付けられている。トレー１０はコネクタサポート１１より手前に突出している。コネクタサポート１１とトレー１０との上方には、天板１を切欠いて形成されて配線口７が空いている。プラグ３１の抜き差しは、一々机の内部に潜ることなく、配線口７から手を差し入れることで行える。従って、作業は簡単であると共に心理的な負担もない。アダプタＡ付きのケーブルＣをコンセント２９に接続する場合は、まず、アダプタＡをトレー１０に落とし込み、それからプラグ３１を差し込んだらよい。【選択図】図９
2013111371.tif 000002
【特許請求の範囲】
【請求項１】
天板の後端部の下方に、電源用プラグ又は他のケーブル接続具を取付け可能なコネクタサポートと、その下方に位置してケーブル類やアダプタ類を載置できるトレーとが配置されており、前記トレーは、平面視で前記コネクタサポートの手前側又は左側若しくは右側のうち少なくとも１つの側に張り出しており、かつ、前記コネクタサポート及びトレーの上方に、それらコネクタサポート及びトレーに向けて人が手を差し入れ可能な配線口が空いている、
机。
【請求項２】
前記コネクタサポート及びトレーは、前記天板を支える左右脚の後端部に連結された左右横長のリアビームに取り付けられている、
請求項１に記載した机。
【請求項３】
前記配線口は、天板の後端を後ろ向き開口するように切欠くことによって形成されており、この配線口に着脱式又は開閉式のカバーを装着しており、前記配線口に、前記カバーを取り付けた状態でケーブル類の挿通路が残るように設定している、
請求項１又は２に記載した机。
【発明の詳細な説明】
【技術分野】
【０００１】
本願発明は、ケーブル類の処理機能を有する机に関するものである。
【背景技術】
【０００２】
机では、パソコンや携帯端末を初めとした各種の電気・電子機器が使用される。そこで、これら電気・電子機器に接続されたケーブル類を処理する機能を机に持たせることが行われている。ケーブル類の処理機能の１つとして、電源用タップ（コンセント）や通信線用接続具を天板の下方の空間に配置できるようにすることがある。
【０００３】
その例として特許文献１には、天板の後部下方に左右長手の配線ダクトを配置した構成において、配線ダクトの上部に前向き開口の蟻溝を形成し、この蟻溝の開口縁に、コンセントを抱持したコンセントホルダーを左右スライド自在に装着することが開示されている。
【先行技術文献】
【特許文献】
【０００４】
【特許文献１】特開平０９−２８９９２３号公報
【発明の概要】
【発明が解決しようとする課題】
【０００５】
さて、ノートパソコンや携帯端末などの小型電子機器を初めとした多くの電子機器では、変圧用等のアダプタを中途部に設けた電源ケーブルが多用されており、このアダプタ付き電源ケーブルを使用する場合、アダプタの置き場所が問題になる。
【０００６】
この点、特許文献１ではアダプタを配線ダクトに載置できるが、コンセントホルダーも配線ダクトも天板の下方に完全に隠れているため、電源ケーブルの接続や抜き外しに際しては、人は一々机の内部に潜り込んで作業をせねばならず、これが厄介であった。特に、女性の場合は、接続や抜き取りの作業を簡単に行えるとは言い難い。
【０００７】
本願発明はこのような現状に鑑み成されたものであり、ケーブルの処理を簡単に行えるようにすることを目的とするものである。また、本願は改良された発明を多く含んでおり、これらを提供することも目的たり得るものである。
【課題を解決するための手段】
【０００８】
本願発明は請求項１〜３で特定されている。このうち請求項１の発明は、天板の後端部の下方に、電源用プラグ又は他のケーブル接続具を取付け可能なコネクタサポートと、その下方に位置してケーブル類やアダプタ類を載置できるトレーとが配置されており、前記トレーは、平面視で前記コネクタサポートの手前側又は左側若しくは右側のうち少なくとも１つの側に張り出しており、かつ、前記コネクタサポート及びトレーの上方に、それらコネクタサポート及びトレーに向けて人が手を差し入れ可能な配線口が空いている、という構成になっている。
【０００９】
請求項２の発明は、請求項１において、前記コネクタサポート及びトレーは、前記天板を支える左右脚の後端部に連結された左右横長のリアビームに取り付けられている。また、請求項３の発明は、請求項１又は２において、前記配線口は、天板の後端を後ろ向き開口するように切欠くことによって形成されており、この配線口に着脱式又は開閉式のカバー（蓋）を装着しており、前記配線口に、前記カバーを取り付けた状態でケーブル類の挿通路が残るように設定している。
【発明の効果】
【００１０】
本願発明では、人は机の上方から配線口を介してコネクタサポート及びトレーに手を差し入れることができるため、一々机の内部に潜り込むことなくコンセント等の接続具の抜き差し行える。従って、配線作業を簡単かつ迅速に行えると共に、人の身体的負担を軽減できると共に心理的な負担を無くすこともできる。従って、女性にとっては特に朗報であると言える。
【００１１】
また、コネクタサポートの下方に配置されたトレーは平面視でコネクタサポートの外側に張り出しているため、例えばケーブルにアダプタが取り付いている電源ケーブルの場合、先にアダプタをトレーに落とし込むようにして載せてから、プラグをコンセントに差し込むことができるため、アダプタ付きの電源ケーブルであっても接続作業をごく簡単に行える。電源ケーブルを取り外す場合は、プラグをコネクタサポートから抜いて電源ケーブルを上に引っ張るとアダプタも引き上げられる。従って、取り外しも簡単である。
【００１２】
ケーブルの余長部分も、コネクタサポートの外側からトレーに落とし込むことで簡単に処理できる。また、余長部分がトレーの外側に垂れ落ちても、配線口に挿入した手で引き寄せる等してトレーに簡単に載せ直すことができる。
【００１３】
コネクタサポートやトレーは、天板の下面にブラケット類を介して取り付けることも可能であるが、請求項２のようにリアビームに取り付けると、天板の加工に要する手間を軽減できると共に、コネクタサポートやトレーを取り付けるための加工によって天板の強度が低下することを防止できる利点がある。
【００１４】
配線口は天板の後ろの全体に設けることも可能であるが、この場合は、机の奥行きを変えないとすると机上面の有効面積が配線口の分だけ全体に狭くなる問題や、机上においた小物が配線口に落ち易くなる問題がある。
【００１５】
これに対して請求項３のように天板の後端部を部分的に切欠いて配線口を形成すると、机の奥行きを変えることなく机上面の有効面積の低下を抑制できると共に、小物が落下することも防止又は抑制できる。また、配線口が切欠かれた状態であると、その下方にコネクタサポートとトレーとが配置されていることを人は自動的に把握できるため、コネクタサポートやトレーの位置を探すような手間を無くせる利点もある。
【図面の簡単な説明】
【００１６】
【図１】実施形態に係る机の外観を示す図で、（Ａ）は正面方向からの斜視図、（Ｂ）は分離斜視図である。
【図２】（Ａ）は後ろから見た斜視図、（Ｂ）は後ろからの分離斜視図である。
【図３】（Ａ）は机を内部から見た斜視図、（Ｂ）は側面図、（Ｃ）はケーブル受けを下方から見た斜視図である。
【図４】（Ａ）はカバーを下向き開口させた状態での机の後部の斜視図、（Ｂ）は同じく分離斜視図である。
【図５】（Ａ）はカバーを上向き開口させた状態での机の後部の斜視図、（Ｂ）は同じく分離斜視図である。
【図６】（Ａ）はカバーを上向き開口させた状態での机の後部の斜視図、（Ｂ）は同じく分離斜視図である。
【図７】要部の一部破断分離斜視図である。
【図８】要部の分離斜視図である。
【図９】図６（Ａ）のIX-IX 視断面図である。
【図１０】図６（Ａ）の X-X視断面図である。
【図１１】ショートワゴンと脚との関係を示す平面図である。
【図１２】図１１の XII-XII視断面図である。
【図１３】ケーブルフックを示す図で、（Ａ）は正面図、（Ｂ）は側面図である。
【発明を実施するための形態】
【００１７】
次に、本願発明の実施形態を図面に基づいて説明する。以下の説明で方向を特定するため「前後」「左右」の文言を使用するが、これは、机を普通の姿勢で使用する人の向きを基準にしている。従って、机の間口方向が左右方向であり、奥行き方向が前後方向である。前と後ろについては、使用者に近い側を前として、使用者から遠い背面の箇所を後ろとして使用している。
【００１８】
(1).机の概略
図１〜３に示すように、机は平面視四角形（長方形）の天板１とこれを左右両側部において支持する左右の脚２とを有する。天板１は木質系であるが、スチール製のものを使用することも可能である。脚２は、棒状の前後脚支柱３，３′をその上端において水平状の上フレーム４で連結した門型になっており、上フレーム４に前後一対のスペーサ５をボルトで固定し、このスペーサ５に天板１をボルトで固定している。従って、天板１と上フレーム４との間にはケーブル類を挿通できる程度の間隔が空いている。
【００１９】
脚支柱３，３′及び上フレーム４は中空で概ね四角形になっており、両者に嵌入する側面視Ｌ形の連結ブラケットを介して一体に連結されている。また、左右脚２における後部脚支柱３の上部間にはリアビーム６が配置されており、リアビーム６と左右の後部脚支柱３とがボルトで固定されている。なお、リアビーム６は帯状で中空に近い形態になっており、固定手段としては、後部脚支柱３の内側面に、リアビーム６の端部に嵌入する連結用ブラケット突起（図示せず）を固定し、この連結用ブラケット突起にリアビーム６をボルトで固定している。
【００２０】
天板１の後端部のうち左右中間部には、後ろ向きに開口した平面視四角形の配線口７を形成している。そして、配線口７にはこれを塞ぐカバー（蓋）８を装着している。カバー８は着脱自在である。天板１の後部は、配線口７を形成したことで強度が弱くなるおそれがある。そこで、天板１のうち配線口７を挟んだ左右両側の部位は、リアビーム６に取り付けた天板支持ブラケット９で下方から支持されている。
【００２１】
また、リアビーム６の下部には、ケーブル等を受けるトレー１０とその上方に位置したコネクタサポート１１とが取り付けられている。トレー１０は、リアビーム６に左右スライド自在に取り付けられている。トレー１０は、平面視でコネクタサポート１１の手前に張り出している。リアビーム６に複数のトレー１０を装着することも可能である。
【００２２】
図４，５に示すように、カバー８は浅いトレー状に形成されており、内部には仕切り１２を設けている。配線口７の内周にはカバー受け１３を固定しており、カバー受け１３の左右側部には、カバー８の左右側部を支持する支持片１４が形成されている。また、カバー受け１３のうち手前に位置した基部には、ケーブルＣを捌くための突起１５を設けている。このため、カバー８を取り付けた状態で当該カバーの手前には配線通路が空いている。
【００２３】
カバー８の左右両側面には前後一対ずつの円形の係合凹部１６が形成されている一方、カバー受け１３の左右両側部には、前後一対の係合凹部１６が選択的に嵌まる係合凸部１７が形成されている。前後の係合凹部１６に係合凸部１７が選択的に嵌まることでカバー８の前後位置を２段階に変更できる。また、係合凸部１７は左右方向に撓み変形する舌片１８（図５参照）の先端に形成されており、このため、舌片１８を変形させることにより、カバー８の着脱と前後位置変更とが行われる。
【００２４】
(2).コネクタサポート等の説明
次に、リアビーム６、天板支持ブラケット９、トレー１０，コネクタサポート１１を、主として図７〜１０に基づいて説明する。図３（Ａ）に示すように、リアビーム６は、後部脚支柱３の上端部でかつ略後半部に連結されている。そして、図７に明瞭に示すように、リアビーム６は、手前に突出した上下の水平片２０ａ，２０ｂを有するチャンネル状の基板２０を有しており、基板２０の前面に側面視凸形の補強板２１を溶接で固着している。従って、背面には基板２０だけが露出している。
【００２５】
基板２０の上下水平片２０ａ，２０ｂは袋状（中空状）に形成されており、その先端には、それぞれ後ろ向きの折り返し片２０ｃ，２０ｄが形成されている。また、補強板２１は前向き凸部２１ａを有しており、そこで、リアビーム６の内部には、補強板２１は前向き凸部２１ａを挟んだ上下両側に、蟻溝形式の上係合溝２２と下係合溝２３とが形成されている。
【００２６】
リアビーム６は板金製品であるが、基板２０は上下の折り返し部２０ａ，２０ｂを有することに加えて、前向き突部２１ａを有する補強板２１が固着されているため、上下方向及び前後方向の曲げに対して高い強度を有する。
【００２７】
図７，８に示すように、天板支持ブラケット９は、リアビーム６の上係合溝２２に嵌まる嵌合部９ａと、天板１の下面にビス（ボルト）２４で固定される受け部９ｂと、これらを繋ぐ傾斜状のアーム部９ｃとを有している。受け部９ｂは平面視で半分が配線口７に露出しており、従って、平面視で略半分の部位が天板１に固定され、平面視で略半分の部位はカバー受け１３に下方から重なっている。受け部９ｂには、ビス２４が貫通する穴が左右一対ずつ空いているが、実際に使用されるのは片側のみである。ビス挿通穴が左右一対ずつ空いているのは、１種類のものを配線口７の左右いずれの側にも使用できるようにするためである。
【００２８】
天板支持ブラケット９における嵌合部９ａの背面は、側面視で後ろ向きに膨れた円弧状に形成されている。従って、天板支持ブラケット９をその前部が高くなるように側面視で傾けた姿勢にすることにより、嵌合部９ａを手前側から上蟻溝２２に嵌め込むことができる。また、天板支持ブラケット９の嵌合部９ａはアーム部９ｃの左右両側に突出した張り出し部９ｄを有する。従って、嵌合部９ａとアーム部９ｃとでＴ型の形態を成している（このため、天板１の支持強度に優れている。）。そして、嵌合部９ａの張り出し部９ｄには、リアリアビーム６における基板４０の上折り返し片２０ｃに下方から嵌合する係合段部２５が形成されており、このため、天板支持ブラケット９は下向き倒れ不能に保持されている。
【００２９】
図８に明示するように、天板支持ブラケット９における係合段部２５の左右中間部には位置決めリブ２６を設けている一方、リアビーム６の上折り返し片２０ｃには位置決めリブ２６が嵌まる切欠き２７を形成しており、このため、天板支持ブラケット９は左右動不能に保持されている。また、天板支持ブラケット９の嵌合部９ａのうちアーム部９ｃの後ろに位置した部分は補強板２１の前向き凸部２１ａに上から重なっているが、アーム部９ｃから左右にはみ出た部分の下面は、補強板２１における前向き凸部２１ａの上面との間に若干の隙間が空くような段盗み部２８になっている。
【００３０】
コネクタサポート１１は板金製品であり（樹脂製でもよい）、左右天板支持ブラケット９のアーム部９ｃの間に配置されている。コネクタサポート１１は、コンセント２９を固定できる本体部１１ａを有しており、本体部１１ａの上端に、リアビーム６の上係合溝２２に嵌まる左右一対の係合片１１ｂを一体に形成している。係合片１１ｂは、その後端に下向きのストッパー片１１ｃを有する側面視下向き開口コの字形になっており、リアビーム６を構成する補強板２１の前向き凸部２１ａに、ストッパー片１１ｃが嵌まるストッパー穴３０を形成している。このため、コネクタサポート１１は左右動不能に保持されている。
【００３１】
そして、コネクタサポート１１の係合片１１ｂに、天板支持ブラケット９における嵌合部９ａの張り出し部９ｄが上から重なっている。すなわち、天板支持ブラケット９における嵌合部９ａの段盗み部２８が、コネクタサポート１１の係合片１１ａに上から重なっている。従って、図１０から容易に理解できるように、コネクタサポート１１は上向きに起こし不能に保持されている。
【００３２】
コネクタサポート１１の本体部１１ａは、手前に行くに従って低くなるように傾斜している。また、コネクタサポート１１の下端部には、コンセント（テーブルタップ）を取り付けるための長穴３２が空いている。また、コネクタサポート１１の下端は上向きに曲げている（上向き片を符号１１ｄで示す。）。この上向き片１１ｄの存在により、コネクタサポート１１の剛性が高くなっていると共に、トレー１０から引き出されたケーブルＣが擦れて傷付くことも防止されている。
【００３３】
トレー１０は上向きに開口して浅い箱状になっており、その後端には、リアビーム６の下係合溝２３に嵌まる嵌合部１０ａを設けている。図３（Ｂ）及び図９（Ａ）に示すように、嵌合部１０ａの下面には、リアビーム６の下折り返し片２０ｄに後ろから引っ掛かる係合爪３３を設けている。このため、トレー１０はリアビーム６に抜け不能に保持される。なお、トレー１０には、ケーブルの他にコネクタやアダプタＡ等の各種の部材を載置できる。
【００３４】
トレー１０の係合爪３３は、上下に撓み変形可能な後ろ向きの舌状片３４の後端に設けており、トレー１０をリアビーム６に向けて強く押し当てると、舌状片３４が弾性変形することで、係合爪３３が下折り返し片２１ｄに係合する。舌状片３４の付け根はリアビーム６の手前に位置しており、このため、舌状片３４を指又はドライバ等で上向きに押し上げることで、係合爪３３を下折り返し片２１ｄから離脱させることができる。
【００３５】
(3).まとめ
以上の構成において、机上で使用する電気・電子機器の電源ケーブルＣのプラグ３１は、配線口７から手を差し込んでコンセント２９に接続できる。この場合、コネクタサポート１１は天板支持ブラケット９の張り出し部９ｄで上から押さえ保持されているため、上向きに回動させることができない。このため、プラグ３１をコンセント２９に抜き差しするに際して、片手でプラグ３１をコンセント２９に抜き差しできる。
【００３６】
配線口７がコネクタサポート１１及びトレー１０の上に位置しているため、プラグ３１の抜き差しは、カバー８を取り外して配線口７に手を差し込むことで、上から行える。この場合、人は机の手前に立って身体を前に倒して抜き差し作業を行うことになり、従って、人の視線は天板の手前から後ろに斜め下方に向かう状態になり、このため、コネクタサポート１１が水平であるとコンセント２９の穴が少し視認できにくい場合である。換言すると、身体を天板の後部に大きく倒さないとコンセント２９を視認しにくい場合である（特に、身長が低いと視認しにくい。）。
【００３７】
これに対して本実施形態のようにコネクタサポート１１を前倒し状に傾斜させると、コンセント２９の穴が人の顔と相対向する状態になるため、身体を大きく倒さなくてもプラグ３１の抜き差しを簡単に行える。また、机の下方に潜ってプラグ３１を抜き差しする場合も、コンセント２９の穴を容易に視認できるため、作業を行いやすい。本実施形態のように、天板支持ブラケット９の一部をコネクタサポート１１の姿勢保持手段に兼用させると、それだけ構造が簡単になる。
【００３８】
図７や図６（Ｂ）に示すように、ケーブルＣの途中にアダプタＡを設けている場合があるが、この場合は、アダプタＡをトレー１０に落とし込むことにより、プラグ３１の接続を簡単に行える。また、トレー１０はコネクタサポート１１の手前に張り出しているため、アダプタＡはコネクタサポートの手側で下方に落とすことにより、トレーに自動的に載せることができる。ケーブルＣのうちプラグ３１と反対側には機器に接続するジャックＢを設けている。
【００３９】
敢えて述べるまでもないが、トレー１０には、ケーブルＣや、各種の機器・器具類を載置できる。また、コネクタサポート１１には、コンセント２９の他に、通信用コネクタやハブ、ルータ等の各種のコネクタ類・中継機類を固定することもできる。ハブ、ルータ等の器具・装置類をトレー１０に載せることも可能である。トレー１０はケーブルＣや部材を指示する機能があれば足りる。従って、例えば、板状やカゴ状であってもよい。
【００４０】
配線口７は実施形態のように天板１の左右中間部に設けることに限らず、天板１のうち左に寄った部位や右に寄った部位など、任意に位置に形成できる。１つの机に複数の配線口７を設けて、その下方にそれぞれコネクタサポート１１とトレー１０とを配置することも可能である。
【００４１】
(4).ショートワゴンとトレーとの関係
机は、ワゴンをセットで使用することが多い（例えば、特開２０１０−２２６２０号公報）。この机用のワゴンは奥行きが大きいものや小さいものがあり、奥行きが大きいワゴンの場合は、机の内部に一杯に押し込むと、ワゴンの後面が机の幕板等に当たって、ワゴンの前面は天板の前面と略同じに揃うように設定されていることが多い。他方、机の脚として、上記した実施形態のように、前後に配置された棒状の前後脚支柱を上水平フレームで連結した「門型脚」と呼ばれるタイプがある。
【００４２】
しかるに、図１１に一点鎖線で示すように、奥行きが小さいショートタイプのワゴン３５を門型脚の机とセットで使用すると、前後の脚支柱の３，３′の間からワゴン３５が外側に部分的にはみ出ることがある。
【００４３】
この点について、本実施形態では、図１１及び図１２に実線で示すように、トレー１０をストッパーに兼用させて、ワゴン３５の後端をトレー１０に当てることにより、ワゴン３５の前端部が前部脚３′の内側面に当接し得るように設定している。トレー１０は左右方向にある程度の長さを持っているので、ワゴン３５をトレー１０の前面に当てると、ワゴン３５はトレー１０と前部脚支柱３′とで姿勢を規制される。その結果、ワゴン３５は平面視で旋回不能に保持される。また、ワゴン３５の前部は前部脚支柱３′の内側面に当たっているので、ワゴン３５が前後脚３，３′の間から外にはみ出ることはない。
【００４４】
ワゴン３５がトレー１０の前面に当たった状態で、平面視でワゴン３５の前面が天板１の前端面と揃うように設定したり、ワゴン３５の前面が前部脚支柱３′の前面と揃うように設定することも可能であり、このように設定すると、ワゴン３５と机との統一性を確保して美観を向上できる。このトレー１０とワゴン３５との関係は、独立した発明たり得る。
【００４５】
一般に、配線処理の容易性の点から配線口７の下方には常にトレー１０を配置することになるが、ワゴン３５は一般に机の左側又は右側の寄せた状態で配置することが多い。従って、配線口７を机の右側又は左側に寄せて配置している場合には、配線口７の下方に配置したトレー１０をワゴン３５のストッパーとして機能させることができるが、本図の実施形態のように配線口７を天板１の左右中間部に配置している場合は、ワゴン３５のストッパーとしても機能するトレー１０は、配線口７の下方に配置したトレー１０とは別に設けることになる。
【００４６】
この場合、トレー１０は１種類だけとして、配線口７の下方に配置するトレー１０とワゴン３５の後ろに配置するトレー１０との前後長さを同じとしても良いし、前後長さが相違する２種類のトレー１０を用意して、ワゴン３５のストッパーとして機能させるものは前後長さが短いものを使用しても良い。このように２種類を使い分けると、配線口７の下方に配置するトレー１０は十分な前後長さを確保して、アダプタＡ等の支持機能を的確に発揮できる利点がある。
【００４７】
(5).ケーブルフック（ケーブル保持具）の改良
本願は、改良されたケーブルフック３６も含んでいる。このケーブルフック３６は、図１２，１３に示すように、内部にケーブルＣ類が嵌まるようにリアビーム６に向いて開口した側面視略Ｃ字状の本体部３７を有しており、本体部３６の開口端に、係合溝２２，２３に入り込む上下の足片３８，３９を設けている。基部３７の上下最大幅はリアビーム６における係合溝２２，２３の溝幅寸法よりも大きい寸法であり、従って、開口部は窄んだ状態になっている。
【００４８】
そして、一方の足片３８には係合溝２２，２３に引っ掛かり係合する爪部４０を形成し、他方の足片３９には、上向きのリブ４１を設けている。フック３６の足片３７，３８の間には空間が空いており、足片３７，３８の間隔が広がるように弾性に抗して変形させることにより、ケーブルＣ類は束ねた状態のままでも押し込むことができる。
【００４９】
また、足片３７，３８の間隔が狭まるように弾性変形させることにより、当該足片３７，３８をリアビーム６の係合溝２２，２３に押し込んで、爪部４０を係合溝２２，２３に引っ掛け係合させることができる。取り外す場合は、本体部３７を上下から摘んで上下足片３８，３９の間隔を狭めたら良い。リブ４１の奥端部は傾斜部４１ａになっており、このため、他方の足片３９をリブ４１で補強しつつ、ケーブルＣの抜き差しがスムースに行われる。
【００５０】
ケーブルＣ類はケーブルフック３６で抱くように保持されているが、ケーブルフック３６はその上下の部位がリアビーム６に当接しているため、ワゴン４２が手前から衝突してもケーブルフック３６が潰れ変形することはなく、このため、ケーブルＣを損傷させることもない。また、ケーブルフック３６はその一部が開口しているため、ケーブルＣ類の嵌め入れ・抜き外しはごく簡単に行える。ケーブルフック３６には、ケーブルＣを丸く巻いた状態で吊り掛けることもできる。ケーブルを紐類で縛って、この紐類をケーブルフック３６に吊り掛けることも可能である。
【００５１】
本実施形態のケーブルフック３６の本体部３７は、略平行に配置された上板部と下板部、及び、上板部と下板部とを結ぶ前板部を有しており、更に、上板部と下板部との後端にリアビーム６に当接するリップ部が形成されており、全体的には側面視で角張った外観を呈しているが、側面視円弧状や三角形状、台形状等の様々の形態を採用できる。
【００５２】
さて、机の配線ダクトに装着するケーブルフックは上向き鉤状の形態であることが多いが、この形態では、ワゴンが手前から衝突すると簡単に変形してしまうおそれがある。また、例えば人が足でケーブル上に蹴り上げると簡単に外れてしまうことがある。
【００５３】
他方、部材に設けた穴に差し込む方式のケーブルフックとして、特開平９−１８９３７６号公報に開示されているように、穴に嵌まり込む一対の爪部がぴったり重なったタイプがある。
【００５４】
この特開平９−１８９３７６号公報のフック（ケーブル保持具）は、ケーブルを脱落不能に保持できる利点はあるが、一対の爪部は当初から互いに密着しているため、いわゆる嵌め殺し方式になっており、いったん部材に取り付けると取り外しできないという問題がある。このため、配線のし直しをすることが多い家具類には適用し難い。また、一対の爪部は当初から互いに密着しているため、ケーブルを嵌め込むには一対の爪部をこじ開けるようにして広げねばならず、この作業が面倒である。
【００５５】
これに対して本実施形態のケーブルフック３６は、本体部３７は開口部を有していてしかも上下の足片３８，３９が係合溝２２，２３に嵌まっているため、上向き開口のケーブルフックに比べて、前からの力に対して高い強度を有すると共に、ケーブルフック３６をリアビーム６から取り外さないとケーブルＣを抜き取ることはできないため、強度とケーブル保持機能とに優れている。
【００５６】
また、上下の足片３８，３９の間には間隔が空いているため、ケーブルフック３６は変形させることなくケーブルＣ類をそのまま嵌め込んだり、軽く広げるだけで嵌め込んだりすることができ、このため、特開平９−１８９３７６号公報に比べて、ケーブルＣ類の嵌め込みが簡単であると共に、本体部３７を上下から摘んで足片３８，３９の間隔を狭めることで係合溝２２，２３から簡単に抜き外すことができて、配線し直しも頗る簡単である。
【００５７】
上下の足片３８，３９の両方に爪部４０を設けることも可能であるが、本例のように片方だけに爪部４０を設けると、係合溝２２，２３からの取り外しを簡単に行える利点がある（ケーブルフック３６には大きな荷重が掛かるわけではないので、抜け防止機能は片方に爪部４０を設けるだけで係止機能は確保できる。）。本例のケーブルフックは机やテーブル、間仕切り、カウンター等の家具に広く適用できる。敢えて述べるまでもないが、このケーブルフックも、独立した発明たり得る。
【産業上の利用可能性】
【００５８】
本願発明は実際に机に具体化できる。従って、産業上、利用できる。
【符号の説明】
【００５９】
１  天板
２  支持体の一例としての脚
３  後部脚支柱
６  リアビーム
７  配線口
８  カバー
９  天板支持ブラケット
１０  トレー
１１  コネクタサポート
３１  プラグ
Ｃ  ケーブル
Ａ  アダプタ
【図１】
2013111371.tif 000003
【図２】
2013111371.tif 000004
【図３】
2013111371.tif 000005
【図４】
2013111371.tif 000006
【図５】
2013111371.tif 000007
【図６】
2013111371.tif 000008
【図７】
2013111371.tif 000009
【図８】
2013111371.tif 000010
【図９】
2013111371.tif 000011
【図１０】
2013111371.tif 000012
【図１１】
2013111371.tif 000013
【図１２】
2013111371.tif 000014
【図１３】
2013111371.tif 000015